(57)【要約】【課題】パケットネットワーク網が狭帯域である場合に、ビデオカメラからの音声信号の伝送データ量を減らさなければならない。【解決手段】通信端末を介してパケット通信網に音響情報を伝送する音響出力装置であって、音響信号をサンプリングしてデジタル音響データに変換するＡ／Ｄ変換器１０５と、Ａ／Ｄ変換器１０５により変換された音響データを符号化するためのオーディオ符号化部１０７と、その符号化した符号化信号を通信端末に転送するためのプロトコル制御部１１４，ＬＡＮ・Ｉ／Ｆ部１１６と、パケット通信網５００の回線速度に応じて、Ａ／Ｄ変換器１０５におけるサンプリング周波数及びオーディオ符号化部１０７による符号化方法を変更する呼制御・システム制御部１１５とを有する。【選択図】　図１
2004085945.tif 000002
【特許請求の範囲】
【請求項１】
通信端末を介してパケット通信網に音響情報を伝送する音響出力装置であって、
音響信号をサンプリングしてデジタル音響データに変換する変換手段と、
前記変換手段により変換された前記音響データを符号化するための音響符号化手段と、
前記音響符号化手段により符号化した符号化信号を前記通信端末に転送するための転送手段と、
前記パケット通信網の回線速度に応じて、前記変換手段におけるサンプリング周波数及び前記音響符号化手段による符号化方法の少なくともいずれかを変更するように制御する制御手段と、
を有することを特徴とする音響出力装置。
【請求項２】
前記パケット通信網の回線速度は、前記通信端末に接続された通信ケーブルの種類に基づいて決定されることを特徴とする請求項１に記載の音響出力装置。
【請求項３】
前記転送手段は、ＵＳＢを介して前記通信端末に前記符号化信号を転送することを特徴とする請求項１に記載の音響出力装置。
【請求項４】
前記パケット通信網の回線速度は、前記通信端末から通知されることを特徴とする請求項１乃至３のいずれか１項に記載の音響出力装置。
【請求項５】
通信端末を介してパケット通信網に音響情報を伝送する音響出力装置におけるデータ伝送制御方法であって、
音響信号をサンプリングしてデジタル音響データに変換する変換工程と、
前記変換工程で変換された前記音響データを符号化するための音響符号化工程と、
前記音響符号化工程で符号化した符号化信号を前記通信端末に転送するための転送工程と、
前記パケット通信網の回線速度に応じて、前記変換手段におけるサンプリング周波数及び前記音響符号化手段による符号化方法の少なくともいずれかを変更するように制御する制御工程と、
を有することを特徴とする音響出力装置におけるデータ伝送制御方法。
【請求項６】
前記パケット通信網の回線速度は、前記通信端末に接続された通信ケーブルの種類に基づいて決定されることを特徴とする請求項５に記載のデータ伝送制御方法。
【請求項７】
前記転送工程では、ＵＳＢを介して前記通信端末に前記符号化信号を転送することを特徴とする請求項５に記載のデータ伝送制御方法。
【請求項８】
前記パケット通信網の回線速度は、前記通信端末から通知されることを特徴とする請求項５乃至７のいずれか１項に記載のデータ伝送制御方法。
【請求項９】
請求項５乃至８のいずれか１項に記載のデータ伝送制御方法を実行するプログラムを記憶したことを特徴とする記憶媒体。
【請求項１０】
パケット通信網に音響情報を伝送する音響出力装置であって、
前記パケット通信網における伝送速度を判定する判定手段と、
音響信号をサンプリングしてデジタル音響データに変換する変換手段と、
前記変換手段により変換された前記音響データを符号化するための音響符号化手段と、
前記音響符号化手段により符号化した符号化信号を転送するための転送手段と、
前記判定手段により判定された前記伝送速度に応じて、前記変換手段におけるサンプリング周波数及び前記音響符号化手段による符号化方法の少なくともいずれかを変更するように制御する制御手段と、
を有することを特徴とする音響出力装置。
【発明の詳細な説明】
【０００１】
【発明の属する技術分野】
本発明は、パケット通信網に音響情報を伝送する音響出力装置及びそのデータ伝送制御方法に関するものである。
【０００２】
【従来の技術】
最近、一般家庭でＡＤＳＬやＣＡＴＶ網などの専用線を使った料金定量制のＩＰ常時接続の運用が始まってきた。このように、家庭端末に対して、インターネットが常時接続されるようになると、今まで公衆回線網を使っていた電話やファクシミリなどの通信手段が、パケット通信網を利用したＩＰパケット通信で行なえるようになってくる。また、オフィス環境において、従来のイーサネット（登録商標）（Ｅｔｈｅｒｎｅｔ（登録商標））で構築されていたＬＡＮ環境も、光ＬＡＮなどの広帯域化が進み、数ギガバイト／秒（Ｇｂｐｓ）の単位でのデータ伝送が可能になってきている。
【０００３】
現在、動画像、音声、静止画、その他のマルチメディア情報の伝送をＬＡＮ上で行なうパケット通信端末装置は、現在、Ｈ．３２３として勧告化されている。このＨ．３２３の勧告に従った端末機器を使い、インターネット常時接続を利用して、利用料金定量のＩＰ電話、テレビ電話システムなどの通信手段の実現が可能となった。
【０００４】
また、上記のパケット通信端末装置における映像や音声入力機器として、ビデオカメラなどが使われることが多い。また最近、カメラ内部の信号処理のデジタル化が進んできたことから、端末への映像及び音声入力信号もデジタルで行なう技術が進んできた。特に、ＵＳＢ（Ｕｎｉｖｅｒｓａｌ　Ｓｅｒｉａｌ　Ｂｕｓ）という高速なシリアルインターフェースが規格化され、これを利用すれば多量のデジタル映像信号を伝送させることができる。
【０００５】
図２は、パケットネットワーク網であるネットワーク２０２に接続された通信端末２０１における映像音声入力機器としてビデオカメラ２００を接続したカメラシステムの構成例を示すブロック図である。
【０００６】
図２において、通信端末２０１は、ビデオカメラ２００からの映像及び音声信号を入力し、それを符号化してパケット化してネットワーク２０２に送信している。このネットワーク２０２は、例えばＡＤＳＬの場合の数Ｋｂｐｓから光ＬＡＮにおける数Ｇｂｐｓまで、その伝送帯域に大きな差があり、その伝送帯域によって通信できるパケットデータ量も変わってくる。
【０００７】
【発明が解決しようとする課題】
以上の構成において、パケットネットワーク網２０２が狭帯域である場合に、パケット通信端末２０１が伝送できるオーディオ・パケットデータ量が少なくなるため、ビデオカメラ２００からの音声信号の伝送データ量を減らさなければならなくなり音質の劣化が免れない。
【０００８】
本発明は上記従来例に鑑みてなされたもので、パケットネットワーク網の回線速度に応じて音響信号のサンプリング周波数及びその符号化方法を最適化し、効率良く音響信号の通信を行うことができる音響出力装置及びそのデータ伝送制御方法を提供することをを目的とする。
【０００９】
【課題を解決するための手段】
上記目的を達成するために本発明の音響出力装置は以下のような構成を備える。即ち、
パケット通信網に音響情報を伝送する音響出力装置であって、
前記パケット通信網における伝送速度を判定する判定手段と、
音響信号をサンプリングしてデジタル音響データに変換する変換手段と、
前記変換手段により変換された前記音響データを符号化するための音響符号化手段と、
前記音響符号化手段により符号化した符号化信号を転送するための転送手段と、
前記判定手段により判定された前記伝送速度に応じて、前記変換手段におけるサンプリング周波数及び前記音響符号化手段による符号化方法の少なくともいずれかを変更するように制御する制御手段とを有することを特徴とする。
【００１０】
上記目的を達成するために本発明の音響出力装置は以下のような構成を備える。即ち、
通信端末を介してパケット通信網に音響情報を伝送する音響出力装置であって、
音響信号をサンプリングしてデジタル音響データに変換する変換手段と、
前記変換手段により変換された前記音響データを符号化するための音響符号化手段と、
前記音響符号化手段により符号化した符号化信号を前記通信端末に転送するための転送手段と、
前記パケット通信網の回線速度に応じて、前記変換手段におけるサンプリング周波数及び前記音響符号化手段による符号化方法の少なくともいずれかを変更するように制御する制御手段と、を有することを特徴とする。
【００１１】
上記目的を達成するために本発明の音響出力装置のデータ伝送制御方法は以下のような工程を備える。即ち、
通信端末を介してパケット通信網に音響情報を伝送する音響出力装置におけるデータ伝送制御方法であって、
音響信号をサンプリングしてデジタル音響データに変換する変換工程と、
前記変換工程で変換された前記音響データを符号化するための音響符号化工程と、
前記音響符号化工程で符号化した符号化信号を前記通信端末に転送するための転送工程と、
前記パケット通信網の回線速度に応じて、前記変換手段におけるサンプリング周波数及び前記音響符号化手段による符号化方法の少なくともいずれかを変更するように制御する制御工程と、を有することを特徴とする。
【００１２】
【発明の実施の形態】
以下、添付図面を参照して本発明の好適な実施の形態を詳細に説明する。
【００１３】
図１は、本発明の実施の形態１に係る音声通信システムを説明するブロック図で、ここではＨ．３２３通信端末装置１００で実現した構成例で示している。
【００１４】
１００は、Ｈ．３２３通信端末の本体を示す。１０１はＵＳＢＩ／Ｆを有するビデオカメラ等の映像入力機器で、ＵＳＢケーブルを介して、この通信端末１００に接続されている。１０３はビデオモニタなどの映像出力機器、１０２はマイクロフォンなどの音声入力機器、１０４はスピーカなどの音声出力機器であり、マイクロフォン１０２とスピーカ１０４は機器として一体となり、スピーカホンとして使われることもある。１０６はビデオカメラ４０１からの映像信号を圧縮し符号化するビデオ符号化部である。１０８はビデオ復号部で、受信した符号化映像情報を伸長し復号してビデオモニタ１０３に出力する。これらビデオ符号化部１０６及びビデオ復号部１０８は、所定の例えば、Ｈ．２６１，Ｈ．２６３などの規格に基づく符号化及び復号動作を行なう。１０５はＡ／Ｄ変換器で、マイクロフォン１０２からの音声信号を例えば、８ＫＨｚ，１６ＫＨｚ、４４．１ＫＨｚなどの周波数によりサンプリングして音声デジタルデータに変換する。１０７はオーディオ符号化部で、Ａ／Ｄ変換器１０５よりデジタル信号に変換された音声デジタルデータを圧縮して符号化する。１０９はオーディオ復号部で、受信した符号化音声情報を伸長し復号してスピーカ１０４に出力する。これらオーディオ符号化部１０７及びオーディオ復号部１０９は、所定の例えば，Ｇ．７１１，Ｇ．７２３．１などの規格に基づく動作を行なう。１１０はビデオ・オーディオコーデックであり、前述したビデオ符号化部１０６、オーディオ符号化部１０７、ビデオ復号部１０８、オーディオ復号部１０９の機能を包含し、これら機能はＤＳＰなどで実現される。
【００１５】
１１１は遅延処理部で、同期の維持や、ネットワークでのパケット到着ジッタを考慮して、メディアストリームに付加された遅延を処理する。また、この遅延処理部１１１は、オーディオ復号部１０９による符号化音声情報及び受信した符号化音声情報を所定期間遅延して映像情報との同期（リップ・シンク）をとるためにも設けられている。１１２はパケット化制御部で、符号化された映像情報及び音声情報を、それぞれビデオパケット、オーディオパケットに変換するパケット化処理を行なう。１１３はデパケット化制御部で、受信したビデオパケット、オーディオパケットをデパケット化し、符号化映像情報および符号化音声情報を構成させる。
【００１６】
１１５は呼制御・システム制御部で、適切な操作のためのシグナリングを提供する。これにより提供される機能は、呼制御、能力情報交換、命令と通知のシグナリング、及び論理チャネルの開設等である。１１４はプロトコル制御部で、送信されるビデオ、オーディオ、データおよび制御ストリームをＬＡＮ・Ｉ／Ｆ部１１６に出力するために、形式に従って配置し、またＬＡＮ・Ｉ／Ｆ部１１６から入力されたメッセージから受信したビデオ、オーディオ、データおよび制御ストリームを取り出す。更に、それぞれのメディアタイプに応じて、論理フレーミング、シーケンス番号付加、エラー検出、エラー訂正機能を提供する。ＬＡＮ・Ｉ／Ｆ部１１６は、網５００と端末１００間で必要な適応化を実行している。５００はＬＡＮ或いはＷＡＮなどのパケットネットワーク網で、ＡＤＳＬの場合は１０ＢＡＳＥ−Ｔケーブル、宅内光ファイバの場合は１００ＢＡＳＥ−Ｔ、光ＬＡＮの場合は１０００ＢＡＳＥ−Ｔなどというように、ネットワーク環境に応じて回線速度が違ってくる。
【００１７】
上記の構成に基づく動作を以下に説明する。
【００１８】
電源投入前にＬＡＮ・Ｉ／Ｆ部１１６にＬＡＮケーブルが差し込まれている場合には電源投入時において、また電源投入済みの時には、ＬＡＮケーブルがＬＡＮ・Ｉ／Ｆ１１６に差し込まれると、ＬＡＮのネットワーク回線速度を検出する。例えば、そのＬＡＮケーブルが１０ＢＡＳＥケーブル、１００ＢＡＳＥ或いは１０００ＢＡＳＥであるかなどに応じて、そのＬＡＮがどのような種類の回線であるかを判定し、その回線の種類に基づいて回線速度を判定する。これはＬＡＮ・Ｉ／Ｆ部１１６からの信号に基づいて呼制御・システム制御部１１５により判定される。こうして呼制御・システム制御部１１５は、Ｈ．３２３通信端末装置１００がＱ９３１，Ｈ．２４５の接続手順に則ってパケット通信を開始する時に、Ａ／Ｄ変換器１０５及びオーディオ符号化部１０７を制御して、その取得した回線速度に応じて、Ａ／Ｄ変換器１０５におけるサンプリング周波数及びオーディオ符号化部１０７における符号化方法を設定する。例えば、ＡＤＳＬでの使用時は、サンプリング周波数は８ＫＨｚとし、高圧縮のＧ．７２３．１又はＧ．７２８で符号化するように設定し、高速光ＬＡＮの場合はサンプリング周波数は４４．１ＫＨｚとし、この場合はほとんど圧縮をせずに無圧縮のオーディオパケットデータを送ってもよい。
【００１９】
図３は、本実施の形態に係る通信端末１００における通信処理を説明するフローチャートで、この処理は呼制御・システム制御部１１５で実行される。
【００２０】
まずステップＳ１で、ＬＡＮ・Ｉ／Ｆ１１６を介してＬＡＮケーブルが接続されたかどうかをみる。ＬＡＮケーブルが接続されている時、或いは接続された時はステップＳ２に進み、そのネットワーク回線速度を検出する。ここでは例えば、１０ＢＡＳＥケーブル、１００ＢＡＳＥ或いは１０００ＢＡＳＥなどを検出する。次にステップＳ３に進み、その検出したネットワーク回線速度に応じて、Ａ／Ｄ変換器１０５におけるサンプリング周波数、及びオーディオ符号化部１０７における符号化方法を決定する。ここでは例えば、ＡＤＳＬでの使用時は、サンプリング周波数は８ＫＨｚとし、高圧縮のＧ．７２３．１又はＧ．７２８で符号化するように設定し、高速光ＬＡＮの場合はサンプリング周波数は４４．１ＫＨｚとし、この場合は圧縮をせずに無圧縮とする。
【００２１】
図１の例では、通信端末１００はビデオカメラ１０１及びマイクロフォン１０２からのデータを符号化する符号化部を有しているが、この機能はビデオカメラ１０１に設けられても良い。
【００２２】
図４は、本発明の実施の形態２に係るビデオカメラ１０１ａの構成を示すブロック図である。
【００２３】
図４において、１０１ａはカメラ本体を示す。２０１は焦点合わせ及び絞りを行なうためのレンズユニット、２０２はレンズユニット２０１を駆動するための駆動制御部である。２０３はＣＣＤセンサやＭＯＳセンサなどの撮像素子であるが、ここではＣＣＤの場合で説明する。２０４は相関二重サンプリング部と自動利得制御部（以下、ＣＤＳ／ＡＧＣ）、２０５はＡ／Ｄ変換器で、ビデオ信号をデジタル信号に変換している。２０６はタイミング信号発生器（ＴＧ）で、動作タイミングを制御するためのタイミング信号を各部に供給している。２０７は同期信号発生器（ＳＳＧ）、２０８は信号処理部、２１２はビデオ符号化部である。２１１はＡ／Ｄ変換器で、マイクロフォン１０２からのオーディオ信号をデジタル信号に変換している。２１３はオーディオ符号化部で、Ａ／Ｄ変換器２１１でデジタル信号に変換されたオーディオデータを符号化している。２１４はビデオ・オーディオコーデックで、ビデオ符号化部２１２、オーディオ符号化部２１３の機能を包含し、この機能はＤＳＰなどで実現される。２０９はカメラ１０１ａのシステム全体を制御するシステム制御部、２１５はＵＳＢコントローラであり、ＵＳＢケーブル６００を介しての伝送を制御している。
【００２４】
図４において、レンズユニット２０１を通った光はＣＣＤ２０３上に結像され、ＣＣＤ２０３は、ＴＧ２０６とＳＳＧ２０７から供給される信号のタイミングに合わせて、その結像した画像を電気信号に変換して出力する。こうして出力されたＣＣＤ信号は、ＣＤＳ／ＡＧＣ２０４で調整される。この調整後のＣＣＤ信号は、Ａ／Ｄ変換器２０５へ供給されてデジタル画像信号に変換される。このデジタル画像信号に対して、信号処理部２０８で所定の色処理・ホワイトバランス調整などがデジタル的に実行され、適正レベルに調整されたデジタル信号であるＹ，Ｕ／Ｖ信号として出力される。また信号処理部２０８では、レンズユニット２０１を駆動するために必要なＡＥ値や鮮鋭度信号などを取り出し、システム制御部２０９に出力する。これによりシステム制御部２０９は、レンズユニット駆動制御部２０２を駆動して、レンズユニット２０１の絞りの調整や合焦制御を行なう。また、信号処理部２０８から出力されたデジタル画像信号は、Ｙ，Ｕ／Ｖの形式でビデオ符号化部２１２に供給され、画像データの圧縮、フレームレートの設定などが施される。ここでの圧縮方式は、所定の例えば、Ｈ．２６１，Ｈ．２６３，ＭＰＥＧ４などの規格に基づくものである。
【００２５】
また、マイクロフォン１０２から出力された音声信号は、Ａ／Ｄ変換器２１１で、例えば、８ＫＨｚ，１６ＫＨｚ，４４．１ＫＨｚなどの周波数でサンプリングされて音声デジタルデータに変換される。この音声デジタルデータは、オーディオ符号化部２１３に供給され、音声データの圧縮処理が施される。ここでの通信用の圧縮方式は、所定の例えば，Ｇ．７１１，Ｇ．７２３．１などの規格に基づくものである。また、Ａ／Ｄ変換器２１１の出力である音声デジタルデータは、前述の圧縮処理とは別に、サンプリングされたデータのままで、パケット通信端末１００への転送用にＵＳＢコントローラ２１５へ供給されてもよい。こうして圧縮された、Ｙ，Ｕ／Ｖ形式のデジタル映像及びオーディオデータは、ＵＳＢケーブル６００を介してパケット通信端末１００へ転送される。
【００２６】
図５は、本発明の実施の形態２に係る音声通信システムのパケット通信端末装置１００ａの構成例を中心に示すブロック図で、前述の図１と共通する部分は同じ記号で示している。
【００２７】
１００ａは、Ｈ．３２３通信端末装置の本体を示す。１０１ａは前述したビデオカメラで、ＵＳＢケーブル６００を介して、この通信端末１００ａに接続されている。３０５は、ビデオカメラ１０１ａとの間のＵＳＢインターフェースを制御するＵＳＢホストコントローラである。１０３はビデオモニタなどの映像出力機器、１０４はスピーカなどの音声出力機器である。１０８はビデオ復号部で、受信した符号化映像情報を伸長し復号してビデオモニタ１０３に出力している。このビデオ復号部１０８は、所定の例えば、Ｈ．２６１，Ｈ．２６３などの規格に基づく動作を行なう。１０９はオーディオ復号部で、受信した符号化音声情報を伸長し復号してスピーカ１０４に出力しており、このオーディオ復号部１０９は、所定の例えばＧ．７１１，Ｇ．７２３．１などの規格に基づく動作を行なう。３０９はビデオ・オーディオコーデックであり、ビデオ復号部１０８及びオーディオ復号部１０９の機能を包含し、この機能は例えばＤＳＰなどを用いて実現される。
【００２８】
１１１は遅延処理部で、同期の維持や、ネットワークでのパケット到着ジッタを考慮してメディアストリームに付加された遅延を処理している。この遅延処理部１１１は、更に受信した符号化映像信号、符号化音声情報を所定期間遅延して映像情報との同期（リップ・シンク）をとるためにも設けられている。パケット化制御部１１２は、符号化された映像情報および音声情報をビデオパケット、オーディオパケットにパケット化する処理を行なう。１１２はデパケット化制御部で、受信したビデオパケット、オーディオパケットをデパケット化し、符号化映像情報および符号化音声情報を構成する。
【００２９】
１１５は呼制御・システム制御部で、適切な操作のためのシグナリングを提供する。これにより提供される機能は、呼制御、能力情報交換、命令と通知のシグナリング、および論理チャネルの開設などである。１１４はプロトコル制御部で、送信されるビデオ、オーディオ、データおよび制御ストリームをＬＡＮ・Ｉ／Ｆ部１１６に出力するために、形式に従って配置し、またＬＡＮ・Ｉ／Ｆ部１１６から入力されたメッセージから受信したビデオ、オーディオ、データおよび制御ストリームを取り出す。更に、それぞれのメディアタイプに応じて、論理フレーミング、シーケンス番号付加、エラー検出、エラー訂正機能等を提供している。ＬＡＮ・Ｉ／Ｆ部１１６は、網と端末１００ａ間で必要な適応化を測り、ＬＡＮ・ＷＡＮなどのパケットネットワーク網５００との間でのデータをやり取りしている。
【００３０】
この網とのインターフェースは、ＡＤＳＬの場合は１０ＢＡＳＥ−Ｔケーブル、宅内光ファイバの場合は１００ＢＡＳＥ−Ｔ、光ＬＡＮの場合は１００ＢＡＳＥ−Ｔなどが使用され、そのネットワーク環境に応じて回線速度が違ってくる。上述した本実施の形態２に係る図４及び図５の構成に基づく動作を以下に説明する。
【００３１】
電源投入時は、ローカルで画像を表示するために、Ｙ，Ｕ／Ｖ形式の非圧縮のデジタル画像信号をビデオカメラ１０１ａからパケット通信端末１００ａにＵＳＢを介して転送する。このときのデータ転送形式は、アイソクロナス転送又はバルク転送で行なう。こうしてパケット通信端末１００ａに転送されたデジタル画像信号は、そのままデパケット化されて、ビデオモニタ１０３に表示される。
【００３２】
ここで、通信端末１００ａの電源投入前に、ＬＡＮ・Ｉ／Ｆ１１６にＬＡＮケーブルが差し込まれている場合には、その電源投入時において、また電源投入済みの時にはＬＡＮケーブルがＬＡＮ・Ｉ／Ｆ１１６に差し込まれた時に、そのＬＡＮケーブルの種類に基づいて、そのＬＡＮのネットワーク回線速度を判定する。例えば、１０ＢＡＳＥケーブルであればＡＤＳＬ、１００ＢＡＳＥであれば宅内光ファイバ、或いは１０００ＢＡＳＥであれば光ＬＡＮであると判定し、それぞれの回線速度を決定する。
【００３３】
こうして呼制御・システム制御部１１５により検出された回線速度は、ＵＳＢホストコントローラ３０５を通じてビデオカメラ１０１ａのＵＳＢコントローラ２１５に送られ、最終的にシステム制御部２０９に、その回線速度を示す情報が送られる。このときのデータ転送形式は、コントロール転送又はインターラプト転送で行なう。この情報を受け取ったシステム制御部２０９は、パケット通信端末１００ａがＱ９３１，Ｈ．２４５の接続手順に則って、パケット通信を開始する時に、Ａ／Ｄ変換器２１１及びオーディオ符号化部２１３を制御すべく、その回線速度に応じてサンプリング周波数および符号化方法を設定する。ここでは例えば、回線がＡＤＳＬである場合はサンプリング周波数を８ＫＨｚにし、高圧縮のＧ．７２３．１又はＧ．７２８で符号化する。また高速光ＬＡＮの使用時には、サンプリング周波数を４４．１ＫＨｚとし、ほとんど圧縮をせずにオーディオパケットデータとして送出してもよい。
【００３４】
図６は、本実施の形態２に係る通信端末１００ａにおける通信処理を説明するフローチャートである。
【００３５】
まずステップＳ１１で、ＬＡＮ・Ｉ／Ｆ１１６を介してＬＡＮケーブルが接続されたかどうかをみる。ＬＡＮケーブルが接続されている時、或いは接続された時はステップＳ１２に進み、そのネットワーク回線速度を検出する。ここでは例えば、そのＬＡＮケーブルが１０ＢＡＳＥケーブル、１００ＢＡＳＥ或いは１０００ＢＡＳＥなどであるかに基づいて、その回線の種類を判定し、それに基づく回線速度を検出する。次にステップＳ１３に進み、その検出したネットワーク回線速度を、ＵＳＢインターフェースを介してビデオカメラ１０１ａに伝送して通知する。
【００３６】
図７は、本実施の形態２に係るカメラ１０１ａにおける伝送制御処理を説明するフローチャートである。
【００３７】
まずステップＳ２１で、前述のステップＳ１３で伝送されたネットワーク回線速度を受信するとステップＳ２２に進み、パケット通信端末１００ａがＱ９３１，Ｈ．２４５の接続手順に則って、ビデオパケット通信を開始する時に、Ａ／Ｄ変換器２１１及びオーディオ符号化部２１３を制御して、その受信した回線速度に応じて、サンプリング周波数および符号化方法を設定する。ここでは例えば、回線がＡＤＳＬである場合は、Ａ／Ｄ変換器２１１におけるサンプリング周波数を８ＫＨｚにし、オーディオ符号化部２１３により、圧縮度の高いＧ．７２３．１又はＧ．７２８で符号化する。また一方、高速の光ＬＡＮの場合には、Ａ／Ｄ変換器２１１におけるサンプリング周波数を高くして４４．１ＫＨｚとし、オーディオ符号化部２１３によりほとんど圧縮せずにオーディオパケットデータとして送出する。このようにして比較的低速の回線を使用する場合は、サンプリング周波数を低下させ、更に高圧縮で符号化して、転送するデータ量を少なく抑える。
【００３８】
また高速回線を使用する場合には、サンプリング周波数を高めて音声情報をより高品位にし、かつ圧縮せずに伝送することで、その回線速度を有効に利用して効率の良い伝送を可能にしている。
【００３９】
以上説明したように本実施の形態２によれば、パケットネットワーク網の回線速度に応じて、カメラからパケット通信端末へのデジタル音声情報の転送を最適化することによって、効率よく、オーディオデータのパケット通信を行なうことができる。
【００４０】
（その他の実施の形態）
本発明の目的は前述したように、実施形態の機能を実現するソフトウェアのプログラムコードを記録した記憶媒体をシステムあるいは装置に提供し、そのシステムあるいは装置のコンピュータ（またはＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィディスク、ハードディスク、光ディスク、光磁気ディスク、ＣＤ−ＲＯＭ，ＣＤ−Ｒ、磁気テープ、不揮発性のメモリカード、ＲＯＭなどを用いることができる。
【００４１】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部または全部を行い、その処理によって前述した実施の形態の機能が実現される場合も含まれている。
【００４２】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含む。
【００４３】
尚、上述の実施の形態では、音声信号を例にして説明したが本発明はこれに限定されるものでなく、例えば音楽や各種音情報を含む音響信号であっても良いことはもちろんである。
【００４４】
また、本実施の形態では、通信端末と映像及び音声入出力機器であるビデオカメラとが別体の場合で説明したが、本発明はこれに限定されるものでなく、通信端末と映像及び音声入出力機器であるビデオカメラとが一体となった通信端末に適用してもよい。
【００４５】
以上説明したように本実施の形態によれば、パケットネットワーク網の回線速度に応じて、音声信号のサンプリング、符号化を最適化することによって、効率よくオーディオパケット通信を行なうことができる。
【００４６】
【発明の効果】
以上説明したように本発明によれば、パケットネットワーク網の回線速度に応じて効率良く音響信号の通信を行うことができるという効果がある。
【図面の簡単な説明】
【図１】本発明の実施の形態に係るパケット通信端末装置の構成を示すブロック図である。
【図２】従来のカメラシステムの構成を示すブロック図である。
【図３】本発明の実施の形態１に係るパケット通信端末装置における処理を説明するフローチャートである。
【図４】本発明の実施の形態２に係るカメラの構成を示すブロック図である。
【図５】本発明の実施の形態２に係るパケット通信端末装置の構成を示すブロック図である。
【図６】本発明の実施の形態２に係るパケット通信端末装置における処理を説明するフローチャートである。
【図７】本発明の実施の形態２に係るカメラにおける処理を説明するフローチャートである。
【図１】
2004085945.tif 000003
【図２】
2004085945.tif 000004
【図３】
2004085945.tif 000005
【図４】
2004085945.tif 000006
【図５】
2004085945.tif 000007
【図６】
2004085945.tif 000008
【図７】
2004085945.tif 000009